(57)【要約】【課題】市販されている形状の異なった包装済みバターを、冷蔵庫から取り出した直後でも衛生的にケースから押し出して、ケースごと手に持ってパンにぬったり調理に使用できるとともに、押し出さなくても使用でき、使用後も衛生的で製品の劣化を少なく保存することができる押し出し機能付きバターケースを提供する。【解決手段】直方体のケース１に、包紙のままバター９を装填し、ダイアル８を正負方向に回転することにより連動して前後に移動する押し上げ板１０を装備して、一体化して移動するバター９をケース１の先端から押し出して使用したり、使用後はケース１内に戻し入れて保存できる。また、押し出し機能を使用しないバターケースとしても使用できる。【選択図】図１
0003206361.tif 000002
【実用新案登録請求の範囲】
【請求項１】
ケースの両側に雄ねじスクリューを配し、ダイアルを回すことによって、連動する雄ねじスクリューが同期回転して、密接する雌ねじ爪を装備した押し上げ板が移動し、バターを押し出したり引き戻して使用あるいは収納保存できる押し出し機能付きバターケース。
【請求項２】
ケースの上面に蓋と先端小口部分にキャップを具備し、連続する２面を同時開放できるバターケース。
【考案の詳細な説明】
【技術分野】
【０００１】  本考案は、バター、マーガリン等の乳製品をケースから押し出しながら使用したり、押し出さないでも使用できるバターケースに関するものである。
【背景技術】
【０００２】  従来、バターをパンにぬったり調理に使用する場合、バターを収納したケースの蓋を開けて、包紙を開いてバターを露出させ、バターナイフ等で削いだり切り取って行っていた。【０００３】  しかし、従来のバターケースを使用する場合、冷蔵庫から取り出した直後のバターは硬いため、四方が閉塞されたケース内では削いだり切り取るのには手間がかかったし、常温で軟らかくなるまで待つのには時間がかかるなど不便であった。また、包紙の開閉のたびに手が汚れるとともに手で触れることによる衛生面での問題や開口部が多くなることによる品質の劣化もあった。【０００４】  従来の押し出し式バターケースでは専用のバターを必要とするため、市販の形状の異なるバターをそのまま使用することは出来なかったし、押し出した部分のバターをケース内に押し戻して収納し、保存することができなかった。
【先行技術文献】
【特許文献】
【０００５】
【特許文献１】実開平６−８６９２
【考案の概要】
【考案が解決しようとする課題】
【０００６】  本考案は、このような問題に鑑みてなされたもので、その目的とするところは、市販されている形状の異なるバターを包紙のままケースに入れ、ケースから押し出した先端のみの包紙をケースの先端開口部に沿って切り取るか、保存時に被せる部分を残して開放し、バターを露出させて、ケースごと手に持ってパンにぬることができるものである。ケースごと手に持ってパンにぬる場合、冷蔵庫から取り出した直後でもパンが温かい場合はパンの温かみでぬる部分が溶けるため容易にぬることが出来る。【０００７】  また、押し出された先端部分は周囲から解放されているため、容易にバターナイフ等で削ぐか切り取ってパンにぬったり調理に使用することもできる。【０００８】  蓋を開けて従来のバターケースと同様の使用も可能であり、さらに、キャップも外せばケースの上面と小口の部分がすべて開放されるためバターの使用がいっそう容易になる。また、蓋をしてキャップを外し、スタンドを利用してケースを立てても使用することができる。【０００９】  使用後は、押し出したバターを容器内に戻し入れて収納し保存することができる。
【課題を解決するための手段】
【００１０】  前述した目的を達成するために本考案は、ケースにダイアルを回すことにより異なる形状のバターでも手に直接触れることなくケースの先端から押し出したり、引き戻したりすることが出来る機構を具備した。また、ケースの上面に蓋を小口である先端部分にキャップを設け、従来のバターケースと同様、バターを押し出さなくても使用出来るようにした。【００１１】  本考案でバター等とは、バターのみならずマーガリン、チーズ等の乳製品や羊かん等同形状の製品を含む。また、パン等とはパンやホットケーキ等も含む。
【考案の効果】
【００１２】  上述のように、本考案では、市販の包装された異なる形状のバターを包紙のままケースに装填し、ケースのキャップを外して、蓋を閉じたまま、あるいは開けた状態でダイアルを正方向に回し、バターを押し出して使用することができる。また、使用後は、バターがケースから出ている場合はダイアルを負方向に回してケース内に収納し、キャップを装着して保存することができる。さらに、蓋を開け、あるいは蓋を開けてキャップも外して従来のバターケースとしても使用することができる。【００１３】  このことにより、押し出し専用のバターを必要とせず、市販の異なる形状のバターでも包紙で包装されたまま取り扱えるので、手の汚れもなく、バター等の露出部分も少なくすることにより衛生的で品質の劣化も少なくすることができる。また、ケースはバターを入れ替えることにより、繰り返し何度でも使用することができる。このように、簡単にしかも衛生的にバターの先端を押出して使用したり、押し出さないで使用し、使用後にも衛生的で品質の劣化を少なく簡単にバターを保存することができる押し出し機能付きバターケースを提供することにある。
【図面の簡単な説明】
【００１４】
【図１】  本校案を実施するための最良の第１の形態の斜視図である。
【図２】  本バターケースの平面図である。
【図３】  本バターケースの側面図である。
【図４】  本バターケースの右正面図である。
【考案を実施するための形態】
【００１５】  以下、図面に基づいて本考案の実施例を詳細に説明する。
【実施例】  図１は、本考案の第１の実施例に係るバターケースの斜視図であり、図２は平面図、図３は側面図、図４は右正面図である。
本バターケースは樹脂製の直方体で、ケース１の上面には開閉自在な蓋２が装備されており、開閉を容易ならしめるための取っ手３が装着されている。また、蓋２は主要部分が半透明となっているため、装填されているバターの種類や状態、残量などが確認できる。【００１６】  ケース１の先端にはキャップ４が装備されている。上面は無く蓋２の開閉時にも、また、自らの着脱時にも相互に影響を与えない構造となっている。なお、上面が無くても切り欠き５が雄ねじスクリューカバー１８に支持されるため脱落することはない。また、キャップ４にはつまみ６が装着されており、取り外しを容易ならしめるためと、キャップ４を下にして立てて置くことにより、バター９がケース１の内部でキャップ４方向に落下することを防止するための倒置防止突起の役割も果たす。【００１７】  ケース１の後端にはスタンド７が装備されており、使用時や収納時に立てて置くことが出来るとともに、ダイアル８の保護枠としての機能を有する。【００１８】  バター９のケース１への装填は、蓋２を取っ手３により上方に引き上げて開き、バターが外箱に入っている場合は外箱から取り出し、包紙のままケース１内の押し上げ板１０に装備されている上下左右４枚の保持プレート１１の間に挿入する。保持プレート１１は弾板で出来ていることと左右に上下一対ずつ装備されているため、バターの形状が薄くてもまた、細くても機能する。【００１９】  押し上げ板１０は、上下左右一対ずつの保持プレート１１と図４右正面図にも示した取り外しレバー１２、ラッチ機構１３に連動して動く左右一対の雌ねじ爪１４と押しばね１５で構成されている。押し上げ板１０は、バター９を保持プレート１１で保持しケース１内を前後に移動して、使用時にバター９を押し出したり引き戻してケース１内に収納したりするためのものである。押し上げ板１０の左右一対の雌ねじ爪１４は押しばね１５により一定の圧力で外側に押され、ケース１の両側に装備されている左右一対の雄ねじスクリュー１６と密接しており、ダイアル８の回転により組み歯車１７に連動して雄ねじスクリュー１６が左右同期回転することで押し上げ板１０と保持しているバター９が、ともに前後に平行移動する。【００２０】  押し上げ板１０は、バター９の使用によりケース１の低部から徐々に先端部まで移動する。このため、新品のバターや中途使用で短くなったバターを新たに装填する場合は押し上げ板１０を任意の位置まで移動させる必要がある。この場合、ダイアル８を負方向に回して押し上げ板１０を任意の位置まで後退させても良いが、手間がかかる。そこで、押し上げ板１０の取り外しレバー１２を上に引き上げることにより、ラッチ機構１３が作動し、押しばね１５に抗して雌ねじ爪１４を押し上げ板１０の中に引き入れる。このことにより、雌ねじ爪１４と密接していた雄ねじスクリュー１６との関係が断たれ、自在となることから、そのままケース１の内部で任意の位置までスライドさせるか、ケース１から取り出して任意の位置まで移動させ、再度ケース１の内部に装着し、取り外しレバー１２を押し下げればラッチ機構１３が作動して連動している雌ねじ爪１４が押しばね１５の作用によって雄ねじスクリュー１６に密接する。【００２１��  バター９を押し出して使用する場合は、キャップ４を外し、ダイアル８を正方向に回す。このことによりケース１の先端からバターが徐々に出るため、適度に出たところで先端部分のみの包紙をケース１の開口部で全て切り取るか、保存するときに被せる部分を残して切り取り、包紙を開放してバターを露出させ、ケース１ごと手に持ってパンにぬったり、バターナイフで削いだり切り取って使用する。使用後は、包紙を先端部分で全て切り取った場合はそのまま、また、包紙を切り取らないで被う部分を残して使用した場合は、包紙で露出した部分のバターを被い、ダイアル８を負方向に回してバター９をケース１の内部に収納し、キャップ４を装着して保存する。【００２２】  ケース１を従来のバターケースとして使用する場合は、蓋２を取っ手３により上方に開け、包紙を開放してバターを露出させ、バターナイフなどで削いだり切り取りながら使用する。また、キャップ４も外すことによりケースの上面と先端部分すなわちバター９の小口部分も開放されることから容易にバターを使用することが出来る。さらに、蓋２を閉めてスタンド７を利用して立てれば、ダイアル８を回してバター９を適度に押し出して使用することが出来る。
使用後は、包紙をバター９に被せた後、あるいは被せないでケース１内に引き戻してキャップ４を装着して保存する。
【産業上の利用可能性】
【００２３】  一般家庭やカフェ、レストラン等の飲食店、病院、給食施設等広範囲に利用できる。
【符号の説明】
【００２４】１    ケース
２    蓋
３    取っ手
４    キャップ
５    切り欠き
６    つまみ
７    スタンド
８    ダイアル
９    バター
１０    押し上げ板
１１    保持プレート
１２    取り外しレバー
１３    ラッチ機構
１４    雌ねじ爪
１５    押しばね
１６    雄ねじスクリュー
１７    組歯車
１８    雄ねじスクリューカバー
【図１】
0003206361.tif 000003
【図２】
0003206361.tif 000004
【図３】
0003206361.tif 000005
【図４】
0003206361.tif 000006
【手続補正書】
【提出日】平成28年7月3日(2016.7.3)
【手続補正１】
【補正対象書類名】実用新案登録請求の範囲
【補正対象項目名】請求項２
【補正方法】変更
【補正の内容】
【請求項２】
ケースの上面に蓋と先端小口部分にキャップを具備し、連続する２面を同時開放できることを特徴とする請求項１記載のバターケース。